(57)【要約】【課題】検出された携帯端末の位置に基づいて機器を制御できるようにする。【解決手段】基地局装置(10)は、基地局装置に関連付けられ所定の複数の携帯端末で形成されるグループに属する携帯端末(200)の基地局装置の通信可能領域における存在性に関する情報を管理し、複数の携帯端末(200)と通信可能な、移動体通信用の第１の通信制御部(1232)と、被制御機器(300)との通信を制御するための第２の通信制御部(1236,1234)と、第１と第２の通信制御部の間のプロトコル変換を行い(1200)、複数の携帯端末(200)の全ての携帯端末の存在性が不在状態となる第１の変化または不在状態にあった前記複数の携帯端末(200)の中のいずれかの携帯端末の前記存在性が存在状態となる第２の変化と、被制御機器(300)の操作の記録とに基づいて、被制御機器を制御するかどうかを判定する(511,512,520)処理部(1020)と、を含む。【選択図】図３
2014138222.tif 000002
【特許請求の範囲】
【請求項１】
基地局装置に関連付けられ所定の複数の携帯端末で形成されるグループに属する携帯端末の前記基地局装置の通信可能領域における存在性に関する情報を管理し、前記複数の携帯端末と通信可能な、移動体通信用の第１の通信制御部と、
被制御機器との通信を制御するための第２の通信制御部と、
前記第１と第２の通信制御部の間のプロトコル変換を行い、前記複数の携帯端末の全ての携帯端末の前記存在性が不在状態となる第１の変化、または不在状態にあった前記複数の携帯端末の中のいずれかの携帯端末の前記存在性が存在状態となる第２の変化と、前記被制御機器の操作の記録とに基づいて、前記被制御機器を制御するかどうかを判定する処理部と、
を含む基地局装置。
【請求項２】
前記処理部は、前記被制御機器の操作の記録における、前記第１の変化と、前記第１の変化の前の或る時間期間内の前記被制御機器の或る操作の記録との間の相関性を表す相関係数を求め、前記相関係数に基づいて、前記被制御機器を制御するかどうか、または前記被制御機器を制御するかどうかをユーザに判断させるかどうか、を判定するものである、請求項１に記載の基地局装置。
【請求項３】
前記処理部は、前記被制御機器の操作の記録における、前記第２の変化と、前記第２の変化の後の或る時間期間内の前記被制御機器の或る操作の記録との間の相関性を表す相関係数を求め、前記相関係数に基づいて、前記被制御機器を制御するかどうか、または前記被制御機器を制御するかどうかをユーザに判断させるかどうか、を判定するものである、請求項１または２に記載の基地局装置。
【請求項４】
前記処理部は、前記相関係数が第１の閾値より大きく第２の閾値より小さい場合に、前記被制御機器を制御するかどうかを判断させるためのメッセージを、前記第１の通信制御部を介して前記携帯端末へと送信させ、
前記処理部は、前記相関係数が前記第２の閾値より大きい場合に、前記或る操作に基づいて前記被制御機器を制御するものである、
請求項２または３に記載の基地局装置。
【請求項５】
移動体通信用の第１の通信制御部と、被制御機器との通信を制御するための第２の通信制御部と、を含む基地局装置において、
前記第１の通信制御部から、前記基地局装置に関連付けられ所定の複数の携帯端末で形成されるグループに属する携帯端末の、前記基地局装置の通信可能領域における存在性に関する情報を受け取り、
前記複数の携帯端末の全ての携帯端末の前記存在性が不在状態となる第１の変化、または不在状態にあった前記複数の携帯端末の中のいずれかの携帯端末の前記存在性が存在状態となる第２の変化と、前記被制御機器の操作の記録とに基づいて、前記被制御機器を制御するかどうかを判定する
処理を、前記基地局装置が実行する方法。
【発明の詳細な説明】
【技術分野】
【０００１】
本発明は、移動体通信用の基地局に関連する被制御機器の制御に関する。
【背景技術】
【０００２】
フェムトセルの基地局は、例えば３ＧＰＰ（Third Generation Partnership Project、第３世代パートナーシップ・プロジェクト）規格のような移動体通信規格に基づいて、半径およそ１０ｍ〜数十ｍ程度の小さいカバー範囲のセルを形成する。３ＧＰＰ規格は、例えば３Ｇ（第３世代携帯電話方式）またはＬＴＥ（Long Term Evolution）規格を含んでいる。フェムトセル基地局は、一般的に住宅または小規模オフィスの環境での携帯電話機との通信のために設計されている。フェムトセル基地局は、例えばＡＤＳＬおよび光ケーブルのようなブロードバンド通信回線を通してサービス・プロバイダのネットワークへ接続し、例えば、最大で４〜１６台の携帯電話機に対応することができる。
【０００３】
複数機器を連携させた制御を行う既知の機器連携制御システムは、ユーザによる複数の機器の利用情報を生活データとして生活データ記憶部に集める生活データ記録装置と、生活パターン抽出装置とを含んでいる。生活パターン抽出装置は、生活データの中から特定のエピソードに関連した内容を要素データとし、これを組み合わせたエピソードデータを作成するエピソード作成部と、エピソードデータに含まれる要素データ間の関係を解析するエピソード解析部と、要素データ間の関係からユーザに特徴的な生活パターンを特定し、これを生活パターン情報として生活パターン記憶部に記録する生活パターン解釈部とを含んでいる。機器連携制御システムは、さらに、生活パターン記憶部に記録されているユーザの生活パターン情報を利用して複数の機器を連携制御する制御装置を含んでいる。
【０００４】
既知の電子機器リモート管理システムでは、ホームサーバと家庭内の電子機器とをホームネットワークで接続し、電子機器が動作記録を短期間分蓄積する。ホームサーバは、電子機器と通信し、短期間分の動作記録を取得し、蓄積した動作記録から自動動作を推測し、推測した電子機器の自動動作を電子メールでユーザに送信し、その電子メールへのユーザからの返信電子メールを解析して電子機器に自動実行を通知する。電子機器は、受信した動作を自動実行する。それによって、ホームサーバは、電子機器の自動実行を推測し、推測値をユーザに電子メールで送信し、その返信によって電子機器の自動実行を実現することができる。
【０００５】
既知の携帯端末機またはＰＨＳ子機は、最寄りの基地局ＣＳのＣＳ−ＩＤを得ることで現在位置を検出し、予め登録しておいたＣＳ−ＩＤと該検出結果との一致を判断し、一致を判断した際に、制御対象の照明器具または空気調和機の遠隔制御信号を自動送信する。それによって、使用者がなんら操作を行なうことなく、家屋内外の家電機器を遠隔制御することができる。
【０００６】
既知のネットワーク家電制御システムは、宅内のネットワーク家電機器をホームネットワークを通して制御するゲートウェイと、ゲートウェイにより制御されるネットワーク家電機器と、ゲートウェイの識別情報、ネットワーク家電機器の識別情報および利用者の識別情報を有する家電制御サーバとを備える。家電制御サーバは、ゲートウェイに対してゲートウェイ設定状態情報データベースからゲートウェイ設定情報を読み出して送信する。ゲートウェイは、家電制御サーバからゲートウェイ設定状態情報を受信した時に自機にこのゲートウェイ設定状態情報の内容を登録する。それによって、ゲートウェイの設定変更の必要が生じた場合に、利用者に負担をかけずに、円滑に管理者サイトからゲートウェイの設定変更ができる。
【先行技術文献】
【特許文献】
【０００７】
【特許文献１】国際公開第２００４／０１０２３２号公報
【特許文献２】特開２００６−２２２７１３号公報
【特許文献３】特開２０００−２９９８９１号公報
【特許文献４】特開２０１０−９８３７４号公報
【発明の概要】
【発明が解決しようとする課題】
【０００８】
既知の家電制御システムでは、携帯端末を携帯するユーザの宅内から宅外へまたは宅外から宅内への移動に応じて家電機器を自動制御することができない。
【０００９】
発明者たちは、宅外にあるマクロセル基地局と宅内のフェムトセル基地局によってそれらの通信エリア間での携帯端末の位置または移動を捕捉し、その携帯端末の移動に基づいて宅内の被制御機器を制御することができる、と認識した。
【００１０】
１つの観点では、本発明の目的は、検出された携帯端末の位置に基づいて機器を制御できるようにすることである。
【課題を解決するための手段】
【００１１】
実施形態の一観点によれば、基地局装置に関連付けられ所定の複数の携帯端末で形成されるグループに属する携帯端末のその基地局装置の通信可能領域における存在性に関する情報を管理し、その複数の携帯端末と通信可能な、移動体通信用の第１の通信制御部と、被制御機器との通信を制御するための第２の通信制御部と、その第１と第２の通信制御部の間のプロトコル変換を行い、その複数の携帯端末の全ての携帯端末のその存在性が不在状態となる第１の変化、または不在状態にあったその複数の携帯端末の中のいずれかの携帯端末のその存在性が存在状態となる第２の変化と、その被制御機器の操作の記録とに基づいて、その被制御機器を制御するかどうかを判定する処理部と、を含む基地局装置が提供される。
【発明の効果】
【００１２】
実施形態の一観点によれば、検出された携帯端末の位置に基づいて機器を制御できるようにすることができる。
【図面の簡単な説明】
【００１３】
【図１】図１は、実施形態による、フェムトセル基地局装置を含む機器遠隔制御システム１の構成（configuration）の例を示している。
【図２】図２は、フェムトセル基地局装置の概略的な物理的な構成（configuration）の例を示している。
【図３】図３は、フェムトセル基地局装置のプロセッサの概略的な構成（configuration）の例を示している。
【図４Ａ】図４Ａ〜４Ｃは、フェムトセル基地局装置によって実行される、被制御機器を制御するためのフローチャートの例を示している。
【図４Ｂ】(図4Aで説明)
【図４Ｃ】(図4Aで説明)
【図５Ａ】図５Ａ〜５Ｃは、フェムトセル基地局装置によって実行される、被制御機器を制御するための別のフローチャートの例を示している。
【図５Ｂ】(図5Aで説明)
【図５Ｃ】(図5Aで説明)
【図６】図６Ａは、記憶部または外部記憶部のデータベースに格納される被制御機器の管理テーブルの例を示している。図６Ｂは、機器連携制御部によって、記憶部または外部記憶部のデータベースに格納される携帯端末の管理テーブルの例を示している。
【図７Ａ】図７Ａは、フェムトセル基地局装置と移動交換局（ＭＭＥ／Ｓ−ＧＷ）およびマクロセル基地局の間の概略的な通信手順の例を示している。
【図７Ｂ】図７Ｂは、フェムトセル基地局装置と移動交換局（ＭＭＥ／Ｓ−ＧＷ）およびマクロセル基地局の間の別の概略的な通信手順の例を示している。
【図８Ａ】図８Ａおよび８Ｂは、統合された管理テーブルの例を示している。
【図８Ｂ】(図8Aで説明)
【図９】図９は、図４Ｂおよび５Ｂのステップ６２４において、機器操作部によって送信され携帯端末によって受信される電子メールの例を示している。
【図１０】図１０は、図９の電子メール中のＵＲＬを選択することによって、携帯端末によって受信される機器遠隔制御操作画面の例を示している。
【図１１】図１１は、携帯端末によってアクセスされる、機器連携制御機能部のＵＲＬの自動実行対象機器選択画面の例を示している。
【発明を実施するための形態】
【００１４】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解される。
【００１５】
本発明の非限定的な実施形態を、図面を参照して説明する。図面において、同様のコンポーネントおよび要素には同じ参照番号が付されている。
【００１６】
既知のネットワーク家電制御システムでは、ユーザがパーソナル・コンピュータまたは携帯端末で入力を行うことによって、ネットワークに接続された家電機器を指定して制御する。この場合、ユーザの操作によって家電機器を制御するので、例えば、ユーザが外出したときに家電機器の操作を忘れた場合には、家電機器を制御することはできない。また、ユーザが家電機器を携帯端末で操作する場合、ブラウザの画面に１つの家電機器の操作画面だけが表示されるので、一度に１つの家電機器しか操作することができず、複数の家電機器をほぼ同時に操作するには手間がかかる。
【００１７】
既知の携帯端末では、家電機器の制御を行う場合、制御内容および制御を開始させる位置を予め登録しておけば、ユーザがリアルタイムで操作することなく或る家電機器を制御することができる。また、既知の制御システムでは、ユーザの電子的な鍵の操作を検出し、これに関連した家電機器の操作パターンに基づいて機器が連携制御される。
【００１８】
既知の家電機器の制御を組み合わせても、使用者が外から宅内へ近づく場合の制御は可能であろうが、使用者が宅内から外出する場合には、使用者の外出を判断することができず、その外出に関連する機器の制御は、何を契機にどのような操作を行えばよいか判断できない。また、そのような組合せでも、１つの携帯端末から機器を制御するのであれば制御内容および位置を予め登録することによって、機器を制御できるであろうが、宅内の複数のユーザの行動に基づいて機器を制御することはできない。
【００１９】
発明者たちは、宅外にあるマクロセル基地局および宅内のフェムトセル基地局によって、それらの通信エリア間での携帯端末のセル位置および移動を捕捉し、携帯端末のセル間移動に基づいて宅内の機器を制御することができる、と認識した。
【００２０】
実施形態の目的は、マクロセル基地局とフェムトセル基地局の通信エリア間での携帯端末の検出されたセル位置または移動に基づいて、宅内の機器を制御できるようにすることである。
【００２１】
実施形態の別の目的は、マクロセル基地局とフェムトセル基地局の通信エリア間での携帯端末の検出されたセル位置または移動に基づいて、宅内の機器の操作忘れを防止することである。
【００２２】
実施形態によれば、マクロセル基地局とフェムトセル基地局の通信エリア間での携帯端末の検出されたセル位置および移動に基づいて、宅内の機器を制御することができ、宅内の機器の操作忘れを防止することができる。
【００２３】
図１は、実施形態による、フェムトセル基地局装置１０を含む機器遠隔制御システム１の構成（configuration）の例を示している。
【００２４】
機器遠隔制御システム１は、フェムトセル基地局装置１０、フェムトセル基地局装置１０に属する複数の携帯端末２００、および複数の被制御機器３００を含んでいる。フェムトセル基地局装置１０は、ブロードバンド用の回線終端装置１０５６を介し、例えばインターネットのような外部ネットワーク５を介して、移動体通信網２上の、移動交換局または移動管理装置２２、および複数のマクロセル基地局４に接続される。マクロセル基地局４は、例えば半径数百ｍ〜数ｋｍの広い通信領域または通信可能領域４０を有する。一方、フェムトセル基地局装置１０は、例えば半径およそ１０ｍ〜数十ｍ程度の、例えばユーザの宅内およびその付近のような狭い通信領域または通信可能領域１００を有する。通信領域４０は、例えば或るマクロセル基地局４の通信領域１００内に位置してもよい。移動交換局２２は、例えば３ＧＰＰ規格によるＭＭＥ／Ｓ−ＧＷ（Mobility Management Entity/ Serving-Gateway）であり、携帯端末２００、２２０の移動体通信を管理する。
【００２５】
マクロセル基地局４は、その通信領域４０内に位置する携帯端末２００および２２０と無線通信を行う。フェムトセル基地局装置１０は、その通信領域１００内に位置する予め登録された携帯端末２００と無線通信を行って接続サービスを提供し、登録されていない携帯端末２２０に対して接続サービスを提供することはない。携帯端末２００がフェムトセル基地局装置１０の通信領域１００内に位置する場合には、通信領域１００が通信領域４０内にあったとしても、携帯端末２００は、優先的にフェムトセル基地局装置１０と無線通信を行う。この場合、携帯端末２００は、マクロセル基地局４によって、その通信領域４０内に位置しないものとして処理され、マクロセル基地局４と無線通信しないようにすることができる。
【００２６】
図１において、フェムトセル基地局装置１０に属する複数の携帯端末２００は、例えば、携帯端末２０２、２０４、２０６を含んでいてもよい。また、被制御機器３００は、例えば、テレビジョン装置３０２、オーディオ機器３０４、照明器具３０６、防犯用のセキュリティ・システム３０８、例えば調理用のヒータ３１０、および空調機器３１２を含んでいてもよい。
【００２７】
被制御機器３００は、有線または無線ＬＡＮ（Local Area Network）５０を介してフェムトセル基地局装置１０に接続される。携帯端末２００が通信領域１００内に位置する場合には、被制御機器３００は、ユーザによる携帯端末２００の操作によって、フェムトセル基地局装置１０および有線または無線ＬＡＮ５０を介して制御され得る。携帯端末２００が通信領域１００を除く通信領域４０内に位置する場合には、被制御機器３００は、ユーザによる携帯端末２００の操作によって、マクロセル基地局４、移動体通信網２、外部ネットワーク５、フェムトセル基地局装置１０および有線または無線ＬＡＮ５０を介して制御され得る。被制御機器３００は、ユーザによる携帯端末２００の操作なしで、フェムトセル基地局装置１０によって制御されることもある。
【００２８】
各携帯端末２０２〜２０６は、移動体通信規格でフェムトセル基地局装置１０および／またはマクロセル基地局４を介して、他の携帯端末２０２〜２０６、２２０と移動体通信を行うことができる。また、携帯端末２００は、フェムトセル用の移動体通信規格でフェムトセル基地局装置１０と無線通信して、フェムトセル基地局装置１０の有線または無線ＬＡＮ５０を介して、被制御機器３００を制御することができる。
【００２９】
フェムトセル基地局装置１０の移動体通信規格は、例えばフェムトセル用の３ＧＰＰ規格であってもよい。また、無線または有線ＬＡＮ５０の無線ＬＡＮ通信規格は、例えば、半径およそ１０ｍ〜５０ｍの通信領域を有する、例えばＷｉ−Ｆｉ（Wireless Fidelity）規格、即ちＩＥＥＥ８０２．１１シリーズ（例えば、ＩＥＥＥ８０２．１１ａ、ＩＥＥＥ８０２．１１ｂ、等）の規格であってもよい。
【００３０】
さらに、携帯端末２００は、例えば無線ＬＡＮ通信規格で、フェムトセル基地局装置１０を介して、他の携帯端末２００、２２０と移動体通信を行うことができてもよい。また、携帯端末２００は、さらに、例えば無線ＬＡＮ通信規格でフェムトセル基地局装置１０と無線通信して、フェムトセル基地局装置１０の有線または無線ＬＡＮ５０を介して、被制御機器３００を制御することができてもよい。
【００３１】
図２は、フェムトセル基地局装置１０の概略的な物理的な構成（configuration）の例を示している。
【００３２】
フェムトセル基地局装置１０は、例えば、プロセッサ１０２０、記憶制御部１０２４、記憶部１０２６、および外部記憶部１０２８を含んでいる。フェムトセル基地局装置１０は、さらに、例えば、フェムトセル用の移動体通信インタフェース（ＩＦ）制御部１０３２、無線ＬＡＮインタフェース（ＩＦ）制御部１０３４、および有線ＬＡＮインタフェース（ＩＦ）制御部１０３６を含んでいてもよい。無線ＬＡＮインタフェース制御部１０３４、および有線ＬＡＮインタフェース制御部１０３６は、１つのＬＡＮインタフェース制御部にまとめられてもよい。フェムトセル基地局装置１０は、さらに、例えば、フェムトセル用の移動体通信インタフェース部（ＩＦ）１０４２、無線ＬＡＮインタフェース部（ＩＦ）１０４４、有線ＬＡＮインタフェース部（ＩＦ）１０４６を含んでいてもよい。
【００３３】
プロセッサ１０２０は、ＣＰＵ（Central Processing Unit）であってもよい。記憶部１０２６には、例えば、主記憶装置および半導体メモリ等が含まれる。外部記憶部１０２８には、例えば、半導体メモリ、ハードディスク・ドライブ（ＨＤＤ）、またはその他のドライブ、等が含まれる。その他のドライブは、通信用のプログラムおよびデータベースが記録された例えば光ディスクのような記録媒体３６４を読み取るためのものであってもよい。
【００３４】
移動体通信インタフェース部１０４２は、フェムトセル用の移動体通信アンテナ（ＡＮＴ）１０５２に結合される。無線ＬＡＮインタフェース部１０４４は無線ＬＡＮアンテナ（ＡＮＴ）１０５４に結合される。有線ＬＡＮインタフェース部１０４６は、例えばＬＡＮケーブルを介して、外部ネットワーク５に接続される回線終端装置１０５６、および複数の被制御機器３００に接続される。
【００３５】
プロセッサ１０２０は、記憶部１０２６または外部記憶装置１０２８に格納されたそのソフトウェアまたはその一部に従って動作するものであってもよい。そのソフトウェアは、記録媒体３６４に格納されていて、外部記憶装置１０２８としてのドライブによって記録媒体３６４から読み出されてフェムトセル基地局装置１０にインストールされてもよい。また、代替形態として、プロセッサ１０２０は、上述のソフトウェアの機能の少なくとも一部を含む例えば集積回路として実装された専用のプロセッサであってもよい。
【００３６】
図３は、フェムトセル基地局装置１０のプロセッサ１０２０の概略的な構成（configuration）の例を示している。
【００３７】
フェムトセル基地局装置１０において、プロセッサ１０２０は、機能部として、ゲートウェイ部（ＧＷ）１２００、機器操作部１２０４、機器連携制御部１２０６、ユーザ管理部１２０８、および全体制御部１２１２を含んでいる。プロセッサ１０２０のゲートウェイ部１２００は、移動体通信インタフェース制御部１０３２上に実装されたフェムトセル用の移動体通信インタフェース（ＩＦ）制御機能部１２３２に接続される。また、ゲートウェイ部１２００は、無線ＬＡＮインタフェース制御部１０３４上に実装された無線ＬＡＮインタフェース（ＩＦ）制御機能部１２３４と、有線ＬＡＮインタフェース制御部１０３６上に実装された有線ＬＡＮインタフェース（ＩＦ）制御機能部１２３６とに接続される。無線ＬＡＮインタフェース制御機能部１２３４、および有線ＬＡＮインタフェース制御機能部１２３６は、１つのＬＡＮインタフェース制御機能部にまとめられてもよい。また、ユーザ管理部１２０８は、移動体通信インタフェース制御機能部１２３２に接続される。ゲートウェイ部１２００、機器操作部１２０４、機器連携制御部１２０６、ユーザ管理部１２０８、および全体制御部１２１２は、データベース１２１４に接続される。データベース１２１４は、記憶装置１０２６および／または外部記憶装置１０２８に格納され、例えば管理テーブルを含んでいてもよい。また、全体制御部１２１２は、ゲートウェイ部１２００、機器操作部１２０４、機器連携制御部１２０６、ユーザ管理部１２０８、データベース１２１４に制御信号を供給して、これらの要素の動作を制御してもよい。
【００３８】
機器操作部１２０４は、移動体通信インタフェース制御機能部１２３２を介して携帯端末２００と通信し、無線ＬＡＮインタフェース制御機能部１２３４および有線ＬＡＮインタフェース制御機能部１２３６を介して被制御機器３００と通信して、被制御機器３００を制御する。
【００３９】
ユーザ管理部１２０８は、移動体通信インタフェース制御機能部１２３２からの携帯端末２００の通信領域１００、４０等に関するセル位置情報、在圈情報または移動情報に基づいて、フェムトセル基地局装置１０の通信領域１００内の携帯端末２００の識別情報および数を管理し更新する。
【００４０】
機器連携制御部１２０６は、グループを形成する複数の携帯端末２００を用いたユーザによる機器操作の情報と、携帯端末２００またはそのグループのユーザの在宅情報または在圈情報を管理し、携帯端末２００の在宅情報と被制御機器３００の操作情報の間の相関性を分析する。在宅情報は、グループの携帯端末２０２〜２０６の中のいずれかの携帯端末の通信領域１００内での存在性、即ち、携帯端末２０２〜２０６の中のいずれかが通信領域１００において存在状態にあるかまたは携帯端末２０２〜２０６の全てが通信領域１００において不在状態にあるかを表す。在宅情報は、例えば管理テーブルの形態で、記憶部１０２６または外部記憶部１０２８に格納されてもよい。携帯端末２０２〜２０６の管理情報は、例えば、時刻、グループのユーザの在宅情報、携帯端末２０２〜２０６の機器識別情報、およびセル位置もしくはセル間移動（例えば、外出、帰宅）を含んでいてもよい。機器連携制御部１２０６は、グループのユーザの在宅情報、携帯端末２００〜２０６のセル位置またはセル間移動、および被制御機器３００の操作に関する行動の特性または予測情報に基づいて、機器操作部１２０４に対して被制御機器３００の制御を指示する。また、機器連携制御部１２０６は、グループのユーザの在宅情報、携帯端末２００〜２０６のセル位置またはセル間移動、および被制御機器３００の操作に関する行動の特性または予測情報に基づいて、被制御機器３００の操作に関するユーザへの提案情報を携帯端末２０２〜２０６に送信して表示させる。機器連携制御部１２０６は、１つの被制御機器３００に関連して制御される別の被制御機器３００が存在する場合には、その被制御機器３００も同時に制御するよう機器操作部１２０４に命令してもよい。
【００４１】
機器操作部１２０４は、無線ＬＡＮインタフェース制御機能部１２３４または有線ＬＡＮインタフェース制御機能部１２３６を介して、例えばエコーネット（ＥＣＨＯＮＥＴ（Energy Conservation and Homecare Network））規格および／またはＤＬＮＡ（Digital Living Network Alliance）規格に従って、被制御機器３００を制御する。機器操作部１２０４またはゲートウェイ部１２００は、例えば、機器操作部１２０４、または携帯端末２０２〜２０６による、被制御機器３００の操作の記録を、被制御機器３００の管理テーブルに格納する。その操作の記録は、例えば、操作の時刻、在宅情報、機器識別子、操作（操作の内容またはコマンド種別）、および機器の状態を含んでいる。
【００４２】
ゲートウェイ部１２００は、移動体通信インタフェース制御機能部１２３２、無線ＬＡＮインタフェース制御機能部１２３４、および有線ＬＡＮインタフェース制御機能部１２３６の間でのデータ転送およびプロトコル変換を行う。ゲートウェイ部１２００は、移動体通信インタフェース制御部１０３２、無線ＬＡＮインタフェース制御機能部１２３４および有線ＬＡＮインタフェース制御機能部１２３６の中の１つから受信したデータの宛先ＭＡＣアドレスおよび／または宛先ＩＰアドレスを用いて、その転送先のアドレスを決定する。ゲートウェイ部１２００は、例えば、移動体通信インタフェース制御機能部１２３２、無線ＬＡＮインタフェース制御機能部１２３４、有線ＬＡＮインタフェース制御機能部１２３６のＩＰアドレスを宛先する被制御機器３００の制御用のデータを受信することがある。この場合、ゲートウェイ部１２００は、フェムトセル基地局装置１０のＩＰアドレスを送信元として被制御機器３００にその制御用のデータを転送する。
【００４３】
移動体通信インタフェース制御機能部１２３２は、移動体通信インタフェース部１０４２を制御し、移動体通信基地局として、携帯端末２０２〜２０６相互間、およびマクロセル基地局４を介した携帯端末２０２〜２０６と携帯端末２２０の間の移動通信を制御する。また、移動体通信インタフェース制御機能部１２３２は、ゲートウェイ部１２００を介して、携帯端末２０２〜２０６と、機器操作部１２０４および機器連携制御部１２０６との間の通信を制御する。移動体通信インタフェース制御機能部１２３２は、フェムトセル基地局装置１０に関連付けられた或るグループの限定された携帯端末２０２〜２０６との接続のためにＣＳＧ（Closed Subscriber Group、クローズド加入者グループ）機能を用い、携帯端末２０２〜２０６をＣＳＧ ＩＤによって識別する。移動体通信インタフェース制御部１０３２は、移動交換局２２および携帯端末２０２〜２０６から受信したメッセージに基づいて、ＣＳＧを形成する識別情報（ＩＤ）を有する各携帯端末２０２〜２０６が通信領域１００内に位置するかその外に位置するかに関する情報を管理する。その携帯端末２０２〜２０６が通信領域１００内に位置するかどうかに関する情報は、移動体通信インタフェース制御部１０３２の内部メモリか、または記憶部１０２６または外部記憶部１０２８に格納されてもよい。
【００４４】
このようにして、移動体通信インタフェース制御機能部１２３２は、そのグループＣＳＧの加入者の携帯端末２０２〜２０６が、フェムトセル基地局装置１０の通信領域１００とマクロセル基地局４の通信領域４０の間で移動したことを、ユーザの操作なしで検出する。移動体通信インタフェース制御機能部１２３２は、例えば、３ＧＰＰ規格のハンドオーバ機能により携帯端末２０２〜２０６のセル間移動を検出して、ユーザ管理部１２０８へ携帯端末２０２〜２０６のセル間移動に関する情報を通知する。
【００４５】
無線ＬＡＮインタフェース制御機能部１２３４は、ＩＥＥＥ８０２．１１シリーズの規格に基づいて、無線基地局として機能して、無線ＬＡＮインタフェース部１０４４を制御し、携帯端末２０２〜２０６および被制御機器３００との通信を制御する。ＩＥＥＥ８０２．１１シリーズの規格は、例えば、ＩＥＥＥ８０２．１１ａ、ＩＥＥＥ８０２．１１ｂであってもよい。
【００４６】
有線ＬＡＮインタフェース制御機能部１２３６は、有線ＬＡＮインタフェース部１０４６を制御し、外部ネットワーク５および被制御機器３００との通信を制御する。有線ＬＡＮインタフェース制御機能部１２３６は、例えば、ＩＥＥＥ８０２．３シリーズの規格に従って、有線ＬＡＮ５０のハブまたはルータとして、外部ネットワーク５および有線ＬＡＮ５０上の被制御機器３００との通信を制御する。ＩＥＥＥ８０２．３シリーズの規格は、例えば、ＩＥＥＥ８０２．３ａ／ｂであってもよい。
【００４７】
図６Ａは、記憶部１０２６または外部記憶部１０２８のデータベース１２１４に格納される被制御機器３００の管理テーブルの例を示している。被制御機器３００の操作コマンドまたは操作情報は、被制御機器３００が操作される度に、機器操作部１２０４、ゲートウェイ部１２００、無線ＬＡＮインタフェース制御機能部１２３４、有線ＬＡＮインタフェース制御機能部１２３６のいずれかによって、その管理テーブルに格納されてもよい。そのために、ゲートウェイ部１２００は、無線ＬＡＮインタフェース制御機能部１２３４、および有線ＬＡＮインタフェース制御機能部１２３６を経由する被制御機器３００の操作コマンドまたは操作情報等を監視して、その管理テーブルに操作の記録を格納してもよい。また、ゲートウェイ部１２００は、無線ＬＡＮインタフェース制御機能部１２３４、および有線ＬＡＮインタフェース制御機能部１２３６によって検出された被制御機器３００の操作コマンドまたは操作情報等を監視して、その管理テーブルに操作の記録を格納してもよい。
【００４８】
被制御機器３００の管理テーブルは、被制御機器３００の操作情報に関して、例えば、時刻、在宅情報、機器識別子、操作（操作の内容、コマンドの種別）、および機器の状態の各フィールドを含んでいる。この管理テーブルにおいて、例えば、時刻は被制御機器３００が操作された時刻であり、在宅情報はその時のグループＣＳＧのユーザの在宅情報（“在宅”、“不在”）であり、操作は被制御機器３００のコマンド識別情報であり、機器の状態は操作後の被制御機器３００の動作状態または設定状態であってもよい。
【００４９】
図４Ａ〜４Ｃは、フェムトセル基地局装置１０によって実行される、被制御機器３００を制御するためのフローチャートの例を示している。このフローチャートは、例えば、移動体通信インタフェース制御機能部１２３２、機器連携制御部１２０６、機器操作部１２０４、ユーザ管理部１２０８、無線ＬＡＮインタフェース制御機能部１２３４、および有線ＬＡＮインタフェース制御機能部１２３６によって実行される。図４Ａ〜４Ｃのフローチャートは、フェムトセル基地局装置１０におけるグループＣＳＧを形成する携帯端末２０２〜２０６に関する在宅情報が“不在”から“在宅”へ変化する場合のものである。
【００５０】
図４Ａを参照すると、ステップ４００において、フェムトセル基地局装置１０（その移動体通信インタフェース制御機能部１２３２）は、外の通信領域４０からその通信領域１００内に携帯端末２００、２２０が移動したときその移動を検出する。
【００５１】
ステップ４０２において、フェムトセル基地局装置１０（移動体通信インタフェース制御機能部１２３２）は、その検出した携帯端末２００、２２０の識別情報ＩＤがフェムトセル基地局装置１０のグループＣＳＧの識別情報ＩＤを含むかどうかを判定する。その識別情報ＩＤがフェムトセル基地局装置１０のＣＳＧのＩＤを含むと判定された場合は、手順はステップ６０２に進む。移動体通信インタフェース制御機能部１２３２は、ユーザ管理部１２０８に、ＣＳＧのＩＤの携帯端末２００の通信領域１００内またはそのフェムトセル内への移動の検出を通知する。このＣＳＧのＩＤを有する携帯端末２００が通信領域１００へ入ったことの検出は、ＣＳＧのＩＤを有する携帯端末２００のユーザが通信領域１００に入り帰宅したことを表す。
【００５２】
ステップ４０２においてその識別情報ＩＤがフェムトセル基地局装置１０のＣＳＧのＩＤを含まないと判定された場合は、手順は、図４Ａおよび４Ｂのサブルーチンを出る。この場合、検出された識別情報ＩＤは、例えば、フェムトセル基地局装置１０のＣＳＧのＩＤを含まない携帯端末２２０のものである。
【００５３】
ステップ６０２において、フェムトセル基地局装置１０（ユーザ管理部１２０８）は、通信領域１００に滞在または位置するユーザ数Ｕｓｅｒ＿Ｎに１を加算する（Ｕｓｅｒ＿Ｎ＝Ｕｓｅｒ＿Ｎ＋１）。
【００５４】
ステップ６０４において、フェムトセル基地局装置１０（ユーザ管理部１２０８）は、ユーザ数Ｕｓｅｒ＿Ｎの値が値１かどうかを判定する。ユーザ数Ｕｓｅｒ＿Ｎの値が値１であると判定された場合は、手順はステップ５０４に進む。ユーザ管理部１２０８は、機器連携制御部１２０６に、ユーザ数Ｕｓｅｒ＿Ｎの値が値１であることを通知する。これは、グループＣＳＧを形成する携帯端末２０２〜２０６の全てのユーザが通信領域１００から出た状態にあるときに、グループＣＳＧを形成する携帯端末２０２〜２０６のいずれかを携帯するユーザが最初に通信領域１００内に入ったことを表す。ユーザ数Ｕｓｅｒ＿Ｎの値が値１でない値、即ち０かまたは２以上の値であると判定された場合は、手順はステップ５０６に進む。ユーザ管理部１２０８は、機器連携制御部１２０６に、ユーザ数Ｕｓｅｒ＿Ｎの値が値１でないことを通知する。
【００５５】
ステップ５０４において、フェムトセル基地局装置１０（機器連携制御部１２０６）は、記憶部１０２６または外部記憶部１０２８に格納されたグループＣＳＧの携帯端末２０２〜２０６のユーザに関する在宅情報を“不在”から“在宅”に変更する。
【００５６】
ステップ５０６において、フェムトセル基地局装置１０（機器連携制御部１２０６）は、検出の時刻、在宅情報、携帯端末２０２〜２０６の機器識別子、移動情報“帰宅”を、携帯端末２００の管理テーブルに記録する。
【００５７】
図６Ｂは、機器連携制御部１２０６によって、記憶部１０２６または外部記憶部１０２８のデータベース１２１４に格納される携帯端末２００の管理テーブルの例を示している。
【００５８】
携帯端末２００の管理テーブルは、例えば、時刻、在宅情報、携帯端末の機器識別子、および移動（帰宅、外出）の各フィールドを含んでいる。この管理テーブルにおいて、時刻は、携帯端末２００が通信領域１００からその外へまたはその外から通信領域４０内への移動が検出された時刻であってもよい。また、在宅情報は、その時のグループＣＳＧの携帯端末２００のユーザの在宅情報であり、移動は、携帯端末２００の移動種別（帰宅、外出）であってもよい。
【００５９】
図４Ａを再び参照すると、ステップ５０８において、フェムトセル基地局装置１０（機器連携制御部１２０６）は、在宅情報が“不在”から“在宅”に変化したかどうかを判定する。在宅情報が変化したと判定された場合は、手順はステップ５１０に進む。在宅情報が変化しなかったと判定された場合は、手順は図４Ａおよび４Ｂのサブルーチンを出る。
【００６０】
ステップ５１０において、フェムトセル基地局装置１０（機器連携制御部１２０６）は、管理テーブルにおいて、過去の長い時間期間について、在宅情報が“不在”から“在宅”に変化した各時刻の後の時間期間Ｔ１以内の被制御機器３００の操作情報を抽出し取得する。その際、同じ被制御機器３００に関する両立しない連続する複数の操作コマンド（例えば、電源オンと電源オフ）が存在する場合には、最後の操作コマンドが優先的に選択される。また、今回の在宅情報の“在宅”への変化の時刻の後に実行された操作のコマンドまたは情報は、ここで管理テーブルから除外されてもよい。時間期間Ｔ１は、例えば、３分、４分または５分であってもよい。操作コマンドは、被制御機器３００の電源オン、電源オフ、ロック、アンロック、制御目標値（例えば、温度、時間、チャンネル、音量）、およびその他の制御パラメータを含んでいてもよい。その操作コマンドは、例えば、照明器具３０６の電源オン、およびセキュリティ・システム３０８のロックであってもよい。
【００６１】
ステップ５１２において、フェムトセル基地局装置１０（機器連携制御部１２０６）は、管理テーブル中の過去の記録に基づいて、携帯端末２０２〜２０６の在宅情報の“在宅”への変化と、抽出された過去の各被制御機器３００の操作情報との間の相関関係または相関係数Ｃを求める。この場合、管理テーブルとして、被制御機器３００の管理テーブルと携帯端末２００の管理テーブルの双方が用いられ、またはその双方を統合した管理テーブルが用いられてもよい。相関係数Ｃは、例えば、管理テーブルにおける過去の或る長い時間期間（例えば、過去１ヶ月、２ヶ月、６ヶ月）における、在宅情報の“在宅”への各変化に対する、被制御機器３００の同じ特定の操作情報またはコマンドの発生頻度（％）で表されてもよい。それによって、在宅情報の“在宅”への変化に対する、グループＣＳＧの携帯端末２０２〜２０６のユーザによる被制御機器３００の操作に関するユーザの行動のパターンまたは傾向を推定することができる。
【００６２】
図４Ｂを参照すると、ステップ５２０において、フェムトセル基地局装置１０（機器連携制御部１２０６）は、時間期間Ｔ１の範囲で抽出された各被制御機器３００の特定の操作情報の相関係数Ｃを、閾値Ｃ１、Ｃ２と比較して、相関係数Ｃが閾値Ｃ１以下かおよび閾値Ｃ２以上かどうかを判定する。ここで、閾値Ｃ１は閾値Ｃ２より小さくてもよい（Ｃ１＜Ｃ２）。
【００６３】
ステップ５２０において、相関係数Ｃが閾値Ｃ１以下である（Ｃ≦Ｃ１）と判定された場合は、手順は図４Ａ〜４Ｃのサブルーチンを出る。相関係数Ｃが閾値Ｃ１以下である場合、在宅情報の“在宅”への変化と、或る被制御機器３００の特定の操作情報との相関性が低く、在宅情報が“在宅”へ変化した場合でも、その操作は行われることはないものと考えられる。
【００６４】
ステップ５２０において、相関係数Ｃが閾値Ｃ２以上である（Ｃ≧Ｃ２）と判定された場合は、手順はステップ６２２に進む。機器連携制御部１２０６は、機器操作部１２０４に、相関係数Ｃが閾値Ｃ２以上でありその操作を実行するよう通知する。相関係数Ｃが閾値Ｃ２以上である場合、在宅情報の“在宅”への変化と、或る被制御機器３００の特定の操作情報との相関性が高く、在宅情報が“在宅”へ変化した場合には、その操作が行われるものと考えられる。
【００６５】
代替形態として、図４Ａのステップ５１０において今回の在宅情報の“在宅”への変化の時刻の後で実行された操作の情報が除外されず、かつステップ５２０において、相関係数Ｃが閾値Ｃ２以上である（Ｃ≧Ｃ２）と判定された場合は、手順はステップ５２２に進んでもよい。
【００６６】
ステップ５２２において、フェムトセル基地局装置１０（機器操作部１２０４）は、被制御機器３００の管理テーブルを参照して、その相関性の高い被制御機器３００の操作情報のコマンドが今回実行済みであるかどうかを判定する。その操作情報のコマンドが実行されていないと判定された場合は、手順はステップ６２２に進む。その操作情報のコマンドが既に実行されたと判定された場合は、手順は図４Ａ〜４Ｃのサブルーチンを出る。
【００６７】
ステップ５２０において、相関係数Ｃが閾値Ｃ１より大きくかつ閾値Ｃ２より小さい（Ｃ１＜Ｃ＜Ｃ２）と判定された場合は、手順はステップ６２４に進む。機器連携制御部１２０６は、機器操作部１２０４に、相関係数Ｃが閾値Ｃ１より大きくかつ閾値Ｃ２より小さくその操作が実行されるかどうかをユーザに問い合わせるよう通知する。相関係数Ｃが閾値Ｃ１より大きくかつ閾値Ｃ２より小さい場合、在宅情報の“在宅”への変化と、或る被制御機器３００の操作情報との相関性は、中程度で或る程度高く、本来その操作が行われる可能性があり、その操作を実行し忘れたかどうかをユーザに判断させることが好ましい。
【００６８】
代替形態として、ステップ５１０において今回の在宅情報の“在宅”への変化の時刻の後の時間期間Ｔ１以内に実行された操作の情報が除外されず、かつステップ５２０において、相関係数Ｃが閾値Ｃ１より大きくかつ閾値Ｃ２より小さい（Ｃ１＜Ｃ＜Ｃ２）と判定された場合、手順はステップ５２４に進んでもよい。
【００６９】
ステップ５２４において、フェムトセル基地局装置１０（機器操作部１２０４）は、被制御機器３００の管理テーブルを参照して、その被制御機器３００の操作情報のコマンドが今回実行済みであるかどうかを判定する。その操作情報のコマンドが実行されていないと判定された場合は、手順はステップ６２４に進む。その操作情報のコマンドが既に実行されたと判定された場合は、手順は図４Ａ〜４Ｃのサブルーチンを出る。
【００７０】
ステップ６２２において、フェムトセル基地局装置１０（機器操作部１２０４）は、被制御機器３００の制御を自動的に実行し、即ちその被制御機器３００の制御コマンドを被制御機器３００に供給する。次いで、手順はステップ７２８に進む。機器操作部１２０４は、ゲートウェイ部に、被制御機器３００の制御信号を供給する。
【００７１】
ステップ６２４において、フェムトセル基地局装置１０（機器操作部１２０４）は、通信領域４０から通信領域１００へ移動した携帯端末２０２〜２０４に対して、被制御機器３００の制御に関して、その相関性の高い特定の操作を提案するメッセージを、例えば電子メールで送信する。そのメッセージは、移動体通信インタフェース制御機能部１２３２を介して、通信領域１００に最初に入った携帯端末２０２〜２０４に送信される。ユーザは、携帯端末２０２〜２０４においてそのメッセージを見て、提案された被制御機器３００の制御を実行するかどうかを判定し、携帯端末２０２〜２０４を操作して、その制御を実行するまたはしないことを表す操作情報を、フェムトセル基地局装置１０に送信してもよい。
【００７２】
ステップ６２６において、フェムトセル基地局装置１０（機器操作部１２０４）は、携帯端末２０２〜２０４から操作コマンド等を受信したかどうかを判定し、操作コマンド等を受信した場合には、操作コマンド等を分析して、被制御機器３００の制御を実行するかどうかを判定する。操作コマンドが受信されなかったかまたはその制御を実行しないと判定された場合は、手順は、図４Ａ〜４Ｃのサブルーチンを出る。その制御を実行すると判定された場合は、手順は、ステップ６２８に進む。
【００７３】
ステップ６２８において、フェムトセル基地局装置１０（機器操作部１２０４）は、被制御機器３００の制御を実行し、即ちその被制御機器３００の制御コマンドを被制御機器３００に供給する。次いで、手順はステップ７２８に進む。機器操作部１２０４は、ゲートウェイ部に、被制御機器３００の制御信号を供給する。
【００７４】
図４Ｃを参照すると、ステップ７２８において、フェムトセル基地局装置１０（そのゲートウェイ部１２００）は、被制御機器３００の制御に使用する通信方式が無線ＬＡＮ規格または有線ＬＡＮ規格のいずれであるかを判定する。通信方式が無線ＬＡＮ規格であると判定された場合は、手順はステップ７３２に進む。ゲートウェイ部１２００は、無線ＬＡＮ制御機能部１２３４に制御信号を供給する。通信方式が有線ＬＡＮ規格であると判定された場合は、手順はステップ７４２に進む。ゲートウェイ部１２００は、有線ＬＡＮ制御機能部１２３６に制御信号を供給する。
【００７５】
ステップ７３２において、フェムトセル基地局装置１０（無線ＬＡＮ制御機能部１２３４）は、コマンドに従って指定された被制御機器３００を制御し、即ち、対応する制御信号を被制御機器３００に送信する。機器操作部１２０４、無線ＬＡＮ制御機能部１２３４またはゲートウェイ部１２００は、被制御機器３００の制御が確認された後、その被制御機器３００の操作情報の記録が管理テーブルに格納されていない場合には、被制御機器３００の操作情報の記録を被制御機器３００の管理テーブルに格納してもよい。
【００７６】
ステップ７４２において、フェムトセル基地局装置１０（有線ＬＡＮインタフェース制御機能部１２３６）は、コマンドに従って指定された被制御機器３００を制御し、即ち、対応する制御信号を被制御機器３００に送信する。機器操作部１２０４、有線ＬＡＮ制御機能部１２３６またはゲートウェイ部１２００は、被制御機器３００の制御が確認された後、その被制御機器３００の操作情報の記録が管理テーブルに格納されていない場合には、被制御機器３００の操作情報の記録を被制御機器３００の管理テーブルに格納してもよい。
【００７７】
図５Ａ〜５Ｃは、フェムトセル基地局装置１０によって実行される、被制御機器３００を制御するための別のフローチャートの例を示している。このフローチャートは、例えば、移動体通信インタフェース制御機能部１２３２、機器連携制御部１２０６、機器操作部１２０４、ユーザ管理部１２０８、無線ＬＡＮインタフェース制御機能部１２３４、および有線ＬＡＮインタフェース制御機能部１２３６によって実行される。図５Ａ〜５Ｃのフローチャートは、フェムトセル基地局装置１０におけるグループＣＳＧを形成する携帯端末２０２〜２０６に関する在宅情報が“在宅”から“不在”へ変化する場合のものである。
【００７８】
図５Ａを参照すると、ステップ４０１において、フェムトセル基地局装置１０（その移動体通信インタフェース制御機能部１２３２）は、その通信領域１００からその外の通信領域４０へ携帯端末２００が移動したときその移動を検出する。
【００７９】
ステップ４０２は図４Ａのものと同様である。この場合、その識別情報ＩＤがフェムトセル基地局装置１０のグループＣＳＧの識別情報ＩＤであると判定された場合は、手順はステップ６０３に進む。移動体通信インタフェース制御機能部１２３２は、ユーザ管理部１２０８に、ＣＳＧのＩＤの携帯端末２００の通信領域１００またはそのフェムトセル  から外への移動の検出を通知する。このＣＳＧのＩＤを有する携帯端末２００が通信領域４０から出たことの検出は、ＣＳＧのＩＤを有する携帯端末２００のユーザが通信領域１００から出て外出したことを表す。
【００８０】
ステップ６０３において、フェムトセル基地局装置１０（ユーザ管理部１２０８）は、通信領域１００に滞在または位置するユーザ数Ｕｓｅｒ＿Ｎから１を減算する（Ｕｓｅｒ＿Ｎ＝Ｕｓｅｒ＿Ｎ−１）。
【００８１】
ステップ６０５において、フェムトセル基地局装置１０（ユーザ管理部１２０８）は、ユーザ数Ｕｓｅｒ＿Ｎの値が値０かどうかを判定する。ユーザ数Ｕｓｅｒ＿Ｎの値が値０であると判定された場合は、手順はステップ５０５に進む。ユーザ管理部１２０８は、機器連携制御部１２０６に、ユーザ数Ｕｓｅｒ＿Ｎの値が値０であることを通知する。これは、グループＣＳＧを形成する携帯端末２０２〜２０６の全ユーザまたはその最後のユーザが通信領域１００から出たことを表す。ユーザ数Ｕｓｅｒ＿Ｎの値が値０でない値、即ち１以上の値であると判定された場合は、手順はステップ５０７に進む。ユーザ管理部１２０８は、機器連携制御部１２０６に、ユーザ数Ｕｓｅｒ＿Ｎの値が値０でないことを通知する。
【００８２】
ステップ５０５において、フェムトセル基地局装置１０（機器連携制御部１２０６）は、記憶部１０２６または外部記憶部１０２８に格納されたグループＣＳＧの携帯端末２０２〜２０６のユーザに関する在宅情報を“在宅”から“不在”に変更する。
【００８３】
ステップ５０７において、フェムトセル基地局装置１０（機器連携制御部１２０６）は、検出の時刻、在宅情報、携帯端末２０２〜２０６の機器識別子、移動情報“外出”を、携帯端末２００の管理テーブルに記録する。
【００８４】
ステップ５０９において、フェムトセル基地局装置１０（機器連携制御部１２０６）は、在宅情報が“在宅”から“不在”に変化したかどうかを判定する。在宅情報が変化したと判定された場合は、手順はステップ５１１に進む。在宅情報が変化しなかったと判定された場合は、手順は図５Ａおよび５Ｂのサブルーチンを出る。
【００８５】
ステップ５１１において、フェムトセル基地局装置１０（機器連携制御部１２０６）は、管理テーブルにおいて、過去の長い時間期間について、在宅情報が“在宅”から“不在”に変化した各時刻の前の時間期間Ｔ２以内の被制御機器３００の操作情報を抽出し取得する。その際、同じ被制御機器３００に関する両立しない複数の操作コマンドが存在する場合には、最後の操作コマンドが優先的に選択される。また、今回の在宅情報の“不在”への変化の時刻の前の時間期間Ｔ２内に実行された操作のコマンドまたは情報はここで除外されてもよい。時間期間Ｔ２は、例えば、３分、４分または６分であってもよい。操作情報は、被制御機器３００の電源オン、電源オフ、ロック、アンロック、制御目標値、およびその他の制御パラメータを含んでいてもよい。その操作情報のコマンドは、例えば、テレビジョン装置３０２および／または照明器具３０６の電源オフ、およびセキュリティ・システム３０８のアンロックであってもよい。
【００８６】
ステップ５１３において、フェムトセル基地局装置１０（機器連携制御部１２０６）は、管理テーブル中の過去の記録に基づいて、携帯端末２０２〜２０６の在宅情報の“不在”への変化と、抽出された過去の各被制御機器３００の操作情報との間の相関関係または相関係数Ｃを求める。この場合、管理テーブルとして、被制御機器３００の管理テーブルと携帯端末２００の管理テーブルの双方が用いられ、またはその双方を統合した管理テーブルが用いられてもよい。相関係数Ｃは、例えば、管理テーブルにおける在宅情報の“不在”への各変化に対する、被制御機器３００の同じ特定の操作情報またはコマンドの発生頻度（％）で表されてもよい。それによって、在宅情報の“不在”への変化に対する、グループＣＳＧの携帯端末２０２〜２０６のユーザによる被制御機器３００の操作に関するユーザの行動のパターンまたは傾向を推定することができる。
【００８７】
図５Ｂのステップ５２０は、図４Ｂのものと同様である。但し、図５Ｂのステップ５２０では、フェムトセル基地局装置１０（機器連携制御部１２０６）は、時間期間Ｔ２の範囲で抽出された各被制御機器３００の特定の操作情報の相関係数Ｃを、閾値Ｃ１、Ｃ２と比較して、相関係数Ｃが閾値Ｃ１以下かおよび閾値Ｃ２以上かどうかを判定する。
【００８８】
ステップ５２０において、相関係数Ｃが閾値Ｃ１以下の場合、在宅情報の“不在”への変化と、或る被制御機器３００の特定の操作情報との相関性が低く、在宅情報が“不在”へ変化した場合でも、その操作は行われることはないものと考えられる。
【００８９】
ステップ５２０において相関係数Ｃが閾値Ｃ２以上であると判定された場合は、手順はステップ６２２に進む。相関係数Ｃが閾値Ｃ２以上である場合、在宅情報の“不在”への変化と、或る被制御機器３００の特定の操作情報との相関性が高く、ユーザの在宅情報が“不在”へ変化した場合には、その操作が行われるものと考えられる。
【００９０】
代替形態として、図５Ａのステップ５１１において今回の在宅情報の“不在”への変化の時刻の後で実行された操作の情報が除外されず、かつステップ５２０において、相関係数Ｃが閾値Ｃ２以上である（Ｃ≧Ｃ２）と判定された場合は、手順はステップ５２２に進んでもよい。
【００９１】
ステップ５２０において、相関係数Ｃが閾値Ｃ１より大きくかつ閾値Ｃ２より小さい（Ｃ１＜Ｃ＜Ｃ２）と判定された場合は、手順はステップ６２５に進む。相関係数Ｃが閾値Ｃ１より大きくかつ閾値Ｃ２より小さい場合、在宅情報の“不在”への変化と、或る被制御機器３００の操作情報との相関性は、中程度で或る程度高く、本来その操作が行われる可能性があり、その操作を実行し忘れたかどうかをユーザに判断させることが好ましい。
【００９２】
代替形態として、ステップ５１１において今回の在宅情報の“不在”への変化の時刻の後で実行された操作の情報が除外されず、かつステップ５２０において、相関係数Ｃが閾値Ｃ１より大きくかつ閾値Ｃ２より小さい（Ｃ１＜Ｃ＜Ｃ２）と判定された場合、手順はステップ５２４に進んでもよい。
【００９３】
図５Ｂのステップ５２２、６２２、および５２４は、図４Ｂのものと同様である。
【００９４】
ステップ６２５において、フェムトセル基地局装置１０（機器操作部１２０４）は、通信領域１００から通信領域４０へ移動した携帯端末２０２〜２０４に対して、被制御機器３００の制御に関して、その相関性の高い特定の操作を提案するメッセージを、例えば電子メールで送信する。そのメッセージは、移動体通信インタフェース制御機能部１２３２およびマクロセル基地局４を介して、通信領域１００を最後に出た通信領域４０内の携帯端末２０２〜２０４に送信される。ユーザは、携帯端末２０２〜２０４においてそのメッセージを見て、提案された被制御機器３００の制御を実行するかどうかを判定し、携帯端末２０２〜２０４を操作して、その制御を実行するまたはしないことを表す操作情報を、マクロセル基地局４を介してフェムトセル基地局装置１０に送信してもよい。
【００９５】
図５Ｂのステップ６２６および６２８は、図４Ｂのものと同様である。また、図５Ｃのステップ７２８〜７４２は、図４Ｃのものと同様である。
【００９６】
図７Ａは、フェムトセル基地局装置１０（移動体通信インタフェース機能制御部１２３２）と移動交換局（ＭＭＥ／Ｓ−ＧＷ）２２およびマクロセル基地局４の間の概略的な通信手順の例を示している。この通信手順では、携帯端末２０２〜２０６がマクロセル基地局４の通信領域４０からフェムトセル基地局装置１０の通信領域１００へ移動したことが、フェムトセル基地局装置１０によって検出される。その検出は、図４Ａのステップ４００に対応する。
【００９７】
図７Ａを参照すると、携帯端末２０２〜２０６は、マクロセル基地局４の通信領域４０から徐々にフェムトセル基地局装置１０に接近してその通信領域１００に入り、マクロセル基地局４から接続再構成のメッセージ８１２を受信する。携帯端末２０２〜２０６は、その受信に応答して、フェムトセル基地局装置１０への近接表示のメッセージ８１６を、マクロセル基地局４に送信する。次いで、携帯端末２０２〜２０６は、マクロセル基地局４（移動体通信インタフェース機能制御部１２３２）から接続再構成のメッセージ８２２を受信し、それに応答してフェムトセル基地局装置１０から受信したＲＦ信号に関する測定報告のメッセージ８２４をマクロセル基地局４に送信する。
【００９８】
次いで、マクロセル基地局４は、ハンドオーバ要求のメッセージ８２８を移動交換局２２に送信する。次いで、フェムトセル基地局装置１０は、移動交換局２２からハンドオーバ要求のメッセージ８３２を受信し、その受信に応答して、要求確認のメッセージ８３６を移動交換局２２に送信する。次いで、マクロセル基地局４は、移動交換局２２からハンドオーバ・コマンドのメッセージ８４０を受信し、それに応答して接続再構成のメッセージ８４４を携帯端末２０２〜２０６に送信する。
【００９９】
携帯端末２０２〜２０６は、その受信に応答して、携帯端末２０２〜２０６のグループＣＳＧの識別情報ＩＤと共に接続再構成完了（RRC:RRC CONNECTION RECONFIGURATION COMPLETE）のメッセージ８４８をフェムトセル基地局装置１０に送信する。フェムトセル基地局装置１０（移動体通信インタフェース機能制御部１２３２）は、その接続再構成完了のメッセージ８４８を受信し、それによって、携帯端末２０２〜２０６がその通信領域１００に移動して来たことを検出する。
【０１００】
次いで、フェムトセル基地局装置１０は、ハンドオーバ通知のメッセージ８５２を移動交換局２２に送信する。次いで、移動交換局２２は、携帯端末２０２〜２０６に関するコンテキスト解放コマンドのメッセージ８５６をマクロセル基地局４に送信する。マクロセル基地局４は、メッセージ８５６を受信し、それによって、携帯端末２０２〜２０６がその通信領域４０から出たことを検出する。
【０１０１】
次いで、フェムトセル基地局装置１０は、前述のように、在宅情報が“不在”であるときにいずれかの携帯端末２０２〜２０６が通信領域１００に入ったことを検出すると、在宅情報を“在宅”と更新し、管理テーブルに基づいて帰宅時にユーザが行う可能性の高い被制御機器３００の制御を推定する。
【０１０２】
その後、携帯端末２０２〜２０６は、ユーザの操作に従って、フェムトセル基地局装置１０に操作コマンド８８２、．．．８８６等を送信する。フェムトセル基地局装置１０は、その操作コマンドに応答して、被制御機器３０２〜３１２に制御信号８８４、．．．８８８を送信する。
【０１０３】
図７Ａのメッセージ８１２〜８５６の送受信の手順は、例えば３ＧＰＰ規格において既知のものである。
【０１０４】
図７Ｂは、フェムトセル基地局装置１０（移動体通信インタフェース機能制御部１２３２）と移動交換局（ＭＭＥ／Ｓ−ＧＷ）２２およびマクロセル基地局４の間の別の概略的な通信手順の例を示している。この通信手順では、携帯端末２０２〜２０６がフェムトセル基地局装置１０の通信領域１００からマクロセル基地局４の通信領域４０へ移動したことが、フェムトセル基地局装置１０によって検出される。その検出は、図５Ａのステップ４０１に対応する。
【０１０５】
図７Ｂを参照すると、携帯端末２０２〜２０６は、フェムトセル基地局装置１０の通信領域１００において、ユーザの操作に従って、フェムトセル基地局装置１０に操作コマンド８０２、．．．８０６等を送信する。フェムトセル基地局装置１０（移動体通信インタフェース機能制御部１２３２）は、その操作コマンドに応答して、被制御機器３０２〜３１２に制御信号８０４、．．．８０８を送信する。
【０１０６】
その後、携帯端末２０２〜２０６は、フェムトセル基地局装置１０の通信領域１００から徐々に遠ざかってマクロセル基地局４の通信領域４０に入り、フェムトセル基地局装置１０から接続再構成のメッセージ８１４を受信する。携帯端末２０２〜２０６は、その受信に応答して、マクロセル基地局４への近接表示のメッセージ８１８を、フェムトセル基地局装置１０に送信する。次いで、携帯端末２０２〜２０６は、フェムトセル基地局装置１０から接続再構成のメッセージ８２４を受信し、それに応答してマクロセル基地局４から受信したＲＦ信号に関する測定報告のメッセージ８２６をフェムトセル基地局装置１０に送信する。
【０１０７】
次いで、フェムトセル基地局装置１０（移動体通信インタフェース機能制御部１２３２）は、ハンドオーバ要求のメッセージ８３０を移動交換局２２に送信する。次いで、マクロセル基地局４は、移動交換局２２からハンドオーバ要求のメッセージ８３４を受信し、その受信に応答して、要求確認のメッセージ８３８を移動交換局２２に送信する。次いで、フェムトセル基地局装置１０は、移動交換局２２からハンドオーバ・コマンドのメッセージ８４２を受信し、それに応答して接続再構成のメッセージ８４６を携帯端末２０２〜２０６に送信する。携帯端末２０２〜２０６は、その受信に応答して、接続再構成完了のメッセージ８５０をマクロセル基地局４に送信する。マクロセル基地局４は、その接続再構成完了のメッセージ８５０を受信し、それによって、携帯端末２０２〜２０６がその通信領域４０に入ったことを検出する。
【０１０８】
次いで、マクロセル基地局４は、ハンドオーバ通知のメッセージ８５４を移動交換局２２に送信する。次いで、移動交換局２２は、携帯端末２０２〜２０６のＣＳＧのＩＤと共に携帯端末２０２〜２０６に関するコンテキスト解放コマンド（S1AP:UE CONTEXT RELEASE COMMAND）のメッセージ８５８をフェムトセル基地局装置１０に送信する。フェムトセル基地局装置１０（移動体通信インタフェース機能制御部１２３２）は、コンテキスト解放コマンドのメッセージ８５８を受信し、それによって、携帯端末２０２〜２０６がその通信領域１００から外へ移動したことを検出する。
【０１０９】
次いで、フェムトセル基地局装置１０は、前述のように、在宅情報が“在宅”であるときに全ての携帯端末２０２〜２０６が通信領域１００から出たことを検出すると、在宅情報を“不在”と更新し、管理テーブルに基づいて外出時にユーザが行う可能性の高い被制御機器３００の制御を推定する。
【０１１０】
図７Ｂのメッセージ８１４〜８５８の送受信の手順は、例えば３ＧＰＰ規格において既知のものである。
【０１１１】
図８Ａおよび８Ｂは、統合された管理テーブルの例を示している。以下、図８Ａおよび８Ｂを参照して、管理テーブル、相関係数Ｃの算出、および相関性の判定の例について説明する。
【０１１２】
図８Ａおよび８Ｂの管理テーブルは、図６Ａの被制御機器３０２〜３１２の管理テーブルと、図６Ｂの携帯端末２０２〜２０６の管理テーブルとを、組み合わせて時刻順にソートして統合したものである。時刻は、例えば、秒単位（図示せず）までの日時情報を含んでいてもよい。
【０１１３】
携帯端末２０２〜２０６がフェムトセル基地局装置１０の通信領域１００から外に移動すると、フェムトセル基地局装置１０は、図８Ａ、８Ｂのように、その時刻、携帯端末２０２〜２０６の機器識別子、移動の種別（外出）を、携帯端末２０２〜２０６の管理テーブル（図６Ｂ）に記録する。また、携帯端末２０２〜２０６がフェムトセル基地局装置１０の通信領域１００内に移動して来ると、フェムトセル基地局装置１０は、図８Ａ、８Ｂのように、その時刻、携帯端末２０２〜２０６の機器識別子、移動の種別（帰宅）を、携帯端末２０２〜２０６の管理テーブル（図６Ｂ）に記録する。
【０１１４】
また、ユーザが携帯端末２０２〜２０６を用いてフェムトセル基地局装置１０等を介して被制御機器３００を制御すると、フェムトセル基地局装置１０は、図８Ａ、８Ｂのように、時刻、被制御機器３００の機器識別子、操作、操作後の機器の状態を、被制御機器３００の管理テーブル（図６Ａ）に記録する。
【０１１５】
グループＣＳＧの携帯端末２０２〜２０６を携帯する３人全員が外出し、３台の全てまたはその最後の携帯端末２０２〜２０６がフェムトセル基地局装置１０の通信領域１００内に存在しなくなったとき、フェムトセル基地局装置１０は在宅情報を“不在”と更新する。また、通信領域１００に存在しない携帯端末２０２〜２０６を携帯する３人のうちの誰か１人が帰宅して、３台の携帯端末２０２〜２０６のいずれか１台がフェムトセル基地局装置１０の通信領域１００内に最初に出現したとき、フェムトセル基地局装置１０は在宅情報を“在宅”と更新する。
【０１１６】
今回、在宅情報が“不在”から“在宅”に変化したとき、図８Ａおよび８Ｂの管理テーブルにおいて、同様に在宅情報が “在宅”に変化した各時刻の後の時間期間Ｔ１（例えば、３分）内に行われた過去の操作の記録が、在宅情報の“在宅”への変化に相関性のある操作として抽出される。
【０１１７】
今回在宅情報が“在宅”から“不在”に変化したとき、図８Ａおよび８Ｂの管理テーブルにおいて、同様に在宅情報が “不在”に変化した各時刻の前の時間期間Ｔ２（例えば、３分）内に行われた過去の操作の記録が、在宅情報の“不在”への変化に相関性のある操作として抽出される。さらに、在宅情報が“不在”に変化した各時刻の後の時間期間Ｔ２’（例えば、３分）内にフェムトセル基地局装置１０を介して遠隔的にまたはフェムトセル基地局装置１０によって自動的に実行された操作の記録も、在宅情報の“不在”への変化に相関性のある操作として抽出されてもよい。
【０１１８】
このように、管理テーブルにおいて、在宅情報が“在宅”へまたは“不在”へ変化したときに実行された被制御機器３００の操作記録の履歴情報を母集団として、その各変化の時間期間Ｔ１または時間期間Ｔ２（およびＴ２’）内で抽出された各被制御機器３００の操作の相関係数Ｃが算出される。相関係数Ｃは、確率統計学における統計学的な指標値であってもよい。閾値Ｃ１は例えば３０％であり、閾値Ｃ２は例えば８０％であってもよい。
【０１１９】
在宅情報の“不在”への各変化と相関性のあるその変化の前の時間期間Ｔ２内に実行された被制御機器３００の操作情報は、例えば、セキュリティ・システム３０８のロック、テレビジョン装置３０２の電源オフ、照明器具３０６の電源オフである。セキュリティ・システム３０８のロック操作の実行の割合は、例えば、在宅情報の“不在”への変化の回数６回に対してロック操作の回数が６回の場合、相関係数Ｃ＝１００％である。テレビジョン装置３０２の電源オフ操作の実行割合は、例えば、在宅情報の“不在”への変化の回数６回に対して電源オフ操作の回数が１回の場合、相関係数Ｃ＝１７％である。照明器具３０６の電源オフ操作の実行割合は、例えば、在宅情報の“不在”への変化の回数６回に対して電源オフ操作の回数が１回の場合、相関係数Ｃ＝１７％である。
【０１２０】
図５Ｂのステップ５２０では、セキュリティ・システム３０８のロック操作の相関係数Ｃ＝１００％は、閾値Ｃ２＝８０％より大きい（Ｃ＝１７％≧Ｃ２＝８０％）と判定される。この場合、ステップ６２２において、機器操作部１２０４によって、セキュリティ・システム３０８のロック操作が自動的に実行される、と判定される。
【０１２１】
一方、テレビジョン装置３０２および照明器具３０６の電源オフの相関係数Ｃ＝１７％は閾値Ｃ１＝３０％より小さい（Ｃ＝１７％＜Ｃ１＝３０％）。従って、この場合、テレビジョン装置３０２および照明器具３０６は操作も制御もされない。
【０１２２】
一方、在宅情報の“在宅”への変化と相関性のあるその変化の後の時間期間Ｔ１内に実行された被制御機器３００の制御情報は、例えば、セキュリティ・システム３０８のアンロック、オーディオ機器３０４の再生である。セキュリティ・システム３０８のアンロック操作の実行割合は、例えば、在宅情報の“在宅”への変化の回数６回に対してアンロック操作の回数が３回の場合、相関係数Ｃ＝５０％である。オーディオ機器３０４の再生操作の実行割合は、例えば、在宅情報の“在宅”への変化の回数６回に対して再生操作の回数が１回の場合、相関係数Ｃ＝１７％である。
【０１２３】
図４Ｂのステップ５２０では、セキュリティ・システム３０８のアンロック操作の相関係数Ｃ＝５０％は、閾値Ｃ１＝３０％より大きく、閾値Ｃ２＝８０％より小さい（Ｃ１＝３０％＜Ｃ＝５０％＜Ｃ２＝８０％）と判定される。この場合、ステップ６２４において、機器操作部１２０４によって、セキュリティ・システム３０８のアンロック操作を提案するメッセージが、ユーザの携帯端末２０２〜２０６に送信され表示される。ユーザがその操作の実行を選択した場合に、ステップ６２８において、機器操作部１２０４によって、セキュリティ・システム３０８のアンロック操作が実行される、と判定される。
【０１２４】
一方、オーディオ機器３０４の再生の相関係数Ｃ＝１７％は閾値Ｃ１＝３０％より小さい（Ｃ＝１７％＜Ｃ１＝３０％）。従って、この場合、オーディオ機器３０４は操作も制御もされない。
【０１２５】
次に、図４Ａ〜４Ｃのフローチャートを、図８Ａおよび８Ｂを参照して具体例で説明する。ここで、３人のユーザの３台の携帯端末２０２〜２０６の識別情報ＣＳＧ ＩＤがフェムトセル基地局装置１０にグループＣＳＧとして登録されているものと仮定する。
【０１２６】
再び図４Ａを参照すると、３人のユーザが外出した後で、携帯端末２０４を携帯するユーザＵｓｅｒ２が最初に帰宅したとする。ステップ４００、４０２において、移動体通信インタフェース制御機能部１２３２は、ユーザＵｓｅｒ２のグループＣＳＧに属するＩＤを有する携帯端末２０４がその通信領域１００内に入ったことを検出し、携帯端末２０４の移動“帰宅”をユーザ管理部１２０８に通知する。ステップ６０２、６０４において、ユーザ管理部１２０８は、通信領域１００に滞在するユーザ数Ｕｓｅｒ＿Ｎ＝０に１を加算し、ユーザ数Ｕｓｅｒ＿Ｎ＝１と判定し、その判定を機器連携制御機能部１２０６に通知する。
【０１２７】
ステップ５０４において、機器連携制御機能部１２０６は、在宅情報を“在宅”に更新する。ステップ５０６、５０８の後のステップ５１０において、機器連携制御機能部１２０６は、在宅情報の“在宅”への各変化の前の時間期間Ｔ１以内に実行された過去の操作情報を、図８Ａおよび８Ｂの管理テーブルから抽出し取得する。次いで、機器連携制御機能部１２０６は、その在宅情報の“在宅”への変化とその抽出された各操作情報との間の相関係数Ｃを求める。
【０１２８】
図４Ｂを参照すると、ステップ５２０において、機器連携制御機能部１２０６は、在宅情報の“在宅”への変化と各被制御機器３００の同じ操作と間の相関係数Ｃを、閾値Ｃ１、Ｃ２と比較する。例えば、セキュリティ・システム３０８のアンロック操作の相関係数Ｃ＝５０％は、閾値Ｃ１＝３０％より大きく、閾値Ｃ２＝８０％より小さい。従って、機器操作部１２０４は、セキュリティ・システム３０８のアンロック操作がユーザへ提案されると判断する。この場合、ユーザＵｓｅｒ＿２は、未だセキュリティ・システム３０８のアンロック操作を行っていないものとする。ステップ６２４において、機器操作部１２０４は、ユーザＵｓｅｒ＿２の携帯端末２０４に、セキュリティ・システム３０８のアンロック操作を提案するメッセージを、例えば電子メールで送信する。ユーザＵｓｅｒ＿２は、携帯端末２０４に表示されたメッセージ中のＵＲＬにアクセスすることによって、フェムトセル基地局装置１０の制御操作および状態確認の画面にアクセスする。ユーザがその画面上でそのアンロック操作を選択してフェムトセル基地局装置１０に送信すると、機器操作部１２０４は、ステップ６２８においてそのアンロックのための制御信号をゲートウェイ部１２００を介して送信する。
【０１２９】
ゲートウェイ部１２００は、図４Ｃのステップ７２８において、その制御信号送信に使用する通信方式を決定して、制御信号を、例えば対応する無線ＬＡＮインタフェース制御機能部１２３４に送信する。ステップ７３２において、無線ＬＡＮインタフェース制御機能部１２３４は、セキュリティ・システム３０８のアンロックを実行する。
【０１３０】
このようにして、最初のユーザが帰宅した場合に、過去に中程度の頻度で行った被制御機器３００の操作を忘れたとしても、フェムトセル基地局装置１０によって、その操作の提案が行われ、ユーザはその操作を実行するかどうかを判断することができる。
【０１３１】
再び図４Ａを参照すると、次に、携帯端末２０６を携帯するユーザＵｓｅｒ３が帰宅したとする。ステップ４００、４０２において、移動体通信インタフェース制御機能部１２３２は、ユーザＵｓｅｒ３のグループＣＳＧに属するＩＤを有する携帯端末２０４がその通信領域１００内に入ったことを検出し、携帯端末２０４の移動“帰宅”をユーザ管理部１２０８に通知する。ステップ６０２、６０４において、ユーザ管理部１２０８は、通信領域１００に滞在するユーザ数Ｕｓｅｒ＿Ｎ＝１に１を加算し、ユーザ数Ｕｓｅｒ＿Ｎ＝２と判定し、その判定結果を機器連携制御機能部１２０６に通知する。ステップ５０６において、機器連携制御機能部１２０６は、その携帯端末２０４の移動“帰宅”を管理テーブルに記録する。処理はそれで終了する。
【０１３２】
次に、携帯端末２０２を携帯するユーザＵｓｅｒ１が帰宅したとすると、フェムトセル基地局１０によって同様に処理される。この場合、ユーザ数Ｕｓｅｒ＿Ｎ＝３と判定される。
【０１３３】
次に、図５Ａ〜５Ｃのフローチャートを、図８Ａおよび８Ｂを参照して具体例で説明する。
再び図５Ａを参照すると、３人のユーザが帰宅した後で、携帯端末２０２を携帯するユーザＵｓｅｒ１が最初に外出する。ステップ４０１、４０２において、移動体通信インタフェース制御機能部１２３２は、ユーザＵｓｅｒ１のグループＣＳＧに属するＩＤを有する携帯端末２０２がその通信領域１００から外に出たことを検出し、携帯端末２０４の移動“外出”をユーザ管理部１２０８に通知する。ユーザ管理部１２０８は、ステップ６０３において通信領域１００に滞在するユーザ数Ｕｓｅｒ＿Ｎ＝３から１を減算し、ステップ６０５においてユーザ数Ｕｓｅｒ＿Ｎ＝２と判定し、その判定を機器連携制御機能部１２０６に通知する。ステップ５０６において、機器連携制御機能部１２０６は、その携帯端末２０４の移動“外出”を携帯端末２００の管理テーブルに記録する。処理はそれで終了する。
【０１３４】
次に、携帯端末２０２を携帯するユーザＵｓｅｒ３が外出した場合も、フェムトセル基地局１０によって同様に処理される。この場合、ユーザ数Ｕｓｅｒ＿Ｎ＝１と判定される。
【０１３５】
図５Ａを再び参照すると、２人のユーザが外出した後で、携帯端末２０４を携帯するユーザＵｓｅｒ２が最後に外出したとする。ステップ４０１、４０２において、移動体通信インタフェース制御機能部１２３２は、ユーザＵｓｅｒ２のグループＣＳＧに属するＩＤを有する携帯端末２０４がその通信領域１００から外に出たことを検出し、携帯端末２０４の移動“外出”をユーザ管理部１２０８に通知する。ユーザ管理部１２０８は、ステップ６０３において通信領域１００に滞在するユーザ数Ｕｓｅｒ＿Ｎ＝１から１を減算し、ステップ６０５においてユーザ数Ｕｓｅｒ＿Ｎ＝０と判定し、その判定結果を機器連携制御機能部１２０６に通知する。
【０１３６】
ステップ５０５において、機器連携制御機能部１２０６は、在宅情報を“不在”に更新する。ステップ５０６、５０８の後のステップ５１１において、機器連携制御機能部１２０６は、在宅情報の“不在”への各変化の後の時間期間Ｔ２以内に実行された過去の操作情報を、図８Ａおよび８Ｂの管理テーブルから抽出し取得する。次いで、機器連携制御機能部１２０６は、その在宅情報の“不在”への変化とその抽出された各操作情報との間の相関係数Ｃを求める。
【０１３７】
図５Ｂを参照すると、ステップ５２０において、機器連携制御機能部１２０６は、在宅情報の“不在”への変化と各被制御機器３００の同じ操作との間の相関係数Ｃを、閾値Ｃ１、Ｃ２と比較する。例えば、セキュリティ・システム３０８のロック操作の相関係数Ｃ＝１００％は、閾値Ｃ２＝８０％より大きい。この場合、ユーザＵｓｅｒ＿２は、未だセキュリティ・システム３０８のロック操作を行っていないものとする。従って、機器操作部１２０４は、セキュリティ・システム３０８の自動的にロック操作を行うと判定する。機器操作部１２０４は、ステップ６２８においてそのロック操作のための制御信号をゲートウェイ部１２００を介して送信する。
【０１３８】
ゲートウェイ部１２００は、図５Ｃのステップ７２８において、その制御信号送信に使用する通信方式を決定して、制御信号を、例えば対応する有線ＬＡＮインタフェース制御機能部１２３６に送信する。ステップ７４２において、有線ＬＡＮインタフェース制御機能部１２３６は、ＬＡＮケーブルを介してセキュリティ・システム３０８のロックを実行する。
【０１３９】
このようにして、最後のユーザが外出した場合に、過去に高い頻度で行った被制御機器３００の操作を忘れたとしても、フェムトセル基地局装置１０によって、その操作が自動的に実行される。
【０１４０】
一方、テレビジョン装置３０２および照明器具３０６の電源オフの相関係数Ｃ＝１７％は閾値Ｃ１＝３０％より小さく、テレビジョン装置および照明器具３０６は制御されない。
【０１４１】
図８Ｂにおいて、２０１２年７月２７日７時１０分の時点で３人のユーザが外出した状態となったが、セキュリティ・システム３０８がその前までにロック操作が行われていないものとする。この場合、フェムトセル基地局装置１０は、図８Ｂにおけるその下の行に示されているように、その相関係数Ｃが閾値Ｃ２より大きいことに基づいて、セキュリティ・システム３０８を２０１２年７月２７日７時１１分に自動的にロック制御することとなる。一方、その相関係数Ｃが閾値Ｃ１より大きく閾値Ｃ２より小さい場合には、フェムトセル基地局装置１０は、マクロセル基地局４を介してセキュリティ・システム３０８のロック操作の提案をユーザの携帯端末に提示し、ユーザの選択に従って２０１２年７月２７日７時１１分にセキュリティ・システム３０８をロック制御することとなってもよい。
【０１４２】
図８Ｂにおいて、２０１２年７月２７日１８時３２分の時点で最初の１人のユーザが帰宅したが、その後、２分経過しても、セキュリティ・システム３０８のアンロック操作が行われていないとする。この場合、フェムトセル基地局装置１０は、その下の行に示されているように、その相関係数Ｃが閾値Ｃ２より大きいことに基づいて、セキュリティ・システム３０８を２０１２年７月２７日１８時３２分に自動的にアンロック制御することとなる。
【０１４３】
一方、２０１２年７月２７日１８時３２分の時点で最初の１人のユーザが帰宅した状態となったが、その後、２分を経過しても、照明器具３０６の電源オンの操作がなされていないものとする。その相関係数Ｃが閾値Ｃ１より大きく閾値Ｃ２より小さい場合には、フェムトセル基地局装置１０は、照明器具３０６の電源オン操作の提案をユーザの携帯端末２００に提示し、ユーザの選択に従って２０１２年７月２７日１８時３４分に電源オン制御することとなってもよい。
【０１４４】
このように、グループＣＳＧに属する携帯端末２００のユーザ全員の被制御機器３００の過去の操作パターンに基づいて、最初に帰宅しまたは最後に外出したユーザの被制御機器３００の操作忘れを防止することができ、また、過度に被制御機器３００を自動制御することを防止することができる。それによって、ユーザの被制御機器３００の操作の利便性が向上する。
【０１４５】
図９は、図４Ｂおよび５Ｂのステップ６２４において、機器操作部１２０４によって送信され携帯端末２００によって受信される電子メールの例を示している。電子メールには、フェムトセル基地局１０（機器操作部１２０４）の機器遠隔制御操作画面用のＵＲＬが埋め込まれている。
【０１４６】
図１０は、図９の電子メール中のＵＲＬを選択することによって、携帯端末２００によって受信される機器遠隔制御操作画面の例を示している。機器遠隔制御操作画面には、被制御機器３００の各名称とその操作の選択肢が表示される。
【０１４７】
図１１は、携帯端末２００によってアクセスされる、機器連携制御機能部１２０６のＵＲＬの自動実行対象機器選択画面の例を示している。自動実行対象機器選択画面には、相関性に基づいた自動実行の対象となる被制御機器３００を選択設定するための選択肢が表示される。
【０１４８】
例えば、セキュリティ・システム３０８が故障した場合に、ユーザは、一時的にセキュリティ・システム３０８のロックおよびアンロックの自動制御を制限するために、それを自動制御の対象から外すことができる。その設定操作は、携帯端末２００で、フェムトセル基地局装置１０の通信領域１００または外出先のマクロセル基地局４の通信領域４０でフェムトセル基地局装置１０のＵＲＬの自動実行対象機器選択画面にアクセスすることによって、行うことができる。図１１の画面は、外出先で自動制御対象機器操作を選択するための画面である。一方、携帯端末２００に図１１と同様の在宅時用の自動実行対象機器選択画面を表示してもよい。
【０１４９】
また、図１１の自動実行対象機器選択画面において、ユーザは、管理テーブルの情報の中で、外出時に自動制御の対象になっている被制御機器３００の各操作のリストを確認することができる。ユーザは、例えば、図１１のような自動実行対象機器選択画面におけるチェック・ボックスをオン状態またはオフ状態に設定することによって、或る被制御機器３００の或る操作を自動制御の対象とするか否かを選択することができる。
【０１５０】
図１１において、例えば、セキュリティ・システム３０８のロックを自動制御対象としないように設定された場合、被制御機器３００の管理テーブル中のセキュリティ・システム３０８は、例えば、隠蔽されて、図４Ａ〜４Ｃまたは５Ａ〜５Ｃにおける自動制御されおよび操作の提案の対象から除外されるようにすることができる。
【０１５１】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない、と理解される。本発明の実施形態を詳細に説明したが、本発明の精神および範囲から逸脱することなく、それに対して種々の変更、置換および変形を施すことができる、と理解される。
【０１５２】
以上の実施例を含む実施形態に関して、さらに以下の付記を開示する。
（付記１）基地局装置に関連付けられ所定の複数の携帯端末で形成されるグループに属する携帯端末の前記基地局装置の通信可能領域における存在性に関する情報を管理し、前記複数の携帯端末と通信可能な、移動体通信用の第１の通信制御部と、
被制御機器との通信を制御するための第２の通信制御部と、
前記第１と第２の通信制御部の間のプロトコル変換を行い、前記複数の携帯端末の全ての携帯端末の前記存在性が不在状態となる第１の変化、または不在状態にあった前記複数の携帯端末の中のいずれかの携帯端末の前記存在性が存在状態となる第２の変化と、前記被制御機器の操作の記録とに基づいて、前記被制御機器を制御するかどうかを判定する処理部と、
を含む基地局装置。
（付記２）前記処理部は、前記被制御機器の操作の記録における、前記第１の変化と、前記第１の変化の前の或る時間期間内の前記被制御機器の或る操作の記録との間の相関性を表す相関係数を求め、前記相関係数に基づいて、前記被制御機器を制御するかどうか、または前記被制御機器を制御するかどうかをユーザに判断させるかどうか、を判定するものである、付記１に記載の基地局装置。
（付記３）前記処理部は、前記被制御機器の操作の記録における、前記第２の変化と、前記第２の変化の後の或る時間期間内の前記被制御機器の或る操作の記録との間の相関性を表す相関係数を求め、前記相関係数に基づいて、前記被制御機器を制御するかどうか、または前記被制御機器を制御するかどうかをユーザに判断させるかどうか、を判定するものである、付記１または２に記載の基地局装置。
（付記４）前記処理部は、前記相関係数が第１の閾値より大きく第２の閾値より小さい場合に、前記被制御機器を制御するかどうかを判断させるための情報を、前記第１の通信制御部を介して前記携帯端末へと送信させ、
前記処理部は、前記相関係数が前記第２の閾値より大きい場合に、前記或る操作に基づいて前記被制御機器を制御するものである、
付記２または３に記載の基地局装置。
（付記５）前記第１の通信制御部および前記第２の通信制御部は前記処理部に接続され、前記第２の通信制御部の有線ＬＡＮインタフェース制御部が、外部ネットワークを介して移動体無線網に接続される得るものである、付記１乃至４のいずれかに記載の基地局装置。
（付記６）移動体通信用の第１の通信制御部と、被制御機器との通信を制御するための第２の通信制御部と、を含む基地局装置において、
前記第１の通信制御部から、前記基地局装置に関連付けられ所定の複数の携帯端末で形成されるグループに属する携帯端末の、前記基地局装置の通信可能領域における存在性に関する情報を受け取り、
前記複数の携帯端末の全ての携帯端末の前記存在性が不在状態となる第１の変化、または不在状態にあった前記複数の携帯端末の中のいずれかの携帯端末の前記存在性が存在状態となる第２の変化と、前記被制御機器の操作の記録とに基づいて、前記被制御機器を制御するかどうかを判定する
処理を、前記基地局装置が実行する方法。
【符号の説明】
【０１５３】
４  マクロセル基地局
１０  フェムトセル基地局
２２  移動交換局
２００、２０２、２０４、２０６、２２０  携帯端末
３００  被制御機器
１０２０  プロセッサ
１２００  ゲートウェイ部
１２０４  機器操作部
１２０６  機器連携部
１２０８  ユーザ管理部
１２１２  全体制御部
１２１４  データベース
１２３２  移動体通信インタフェース制御機能部
１２３４  無線ＬＡＮインタフェース制御機能部
１２３６  有線ＬＡＮインタフェース制御機能部
【図１】
2014138222.tif 000003
【図２】
2014138222.tif 000004
【図３】
2014138222.tif 000005
【図４Ａ】
2014138222.tif 000006
【図４Ｂ】
2014138222.tif 000007
【図４Ｃ】
2014138222.tif 000008
【図５Ａ】
2014138222.tif 000009
【図５Ｂ】
2014138222.tif 000010
【図５Ｃ】
2014138222.tif 000011
【図６】
2014138222.tif 000012
【図７Ａ】
2014138222.tif 000013
【図７Ｂ】
2014138222.tif 000014
【図８Ａ】
2014138222.tif 000015
【図８Ｂ】
2014138222.tif 000016
【図９】
2014138222.tif 000017
【図１０】
2014138222.tif 000018
【図１１】
2014138222.tif 000019
【手続補正書】
【提出日】平成25年1月15日(2013.1.15)
【手続補正１】
【補正対象書類名】図面
【補正対象項目名】図５Ｂ
【補正方法】変更
【補正の内容】
【図５Ｂ】
2014138222.tif 000020